(57)【要約】【課題】  給油ガンから粗悪燃料が供給されても、タンク本体内に粗悪燃料が供給される虞がなく、またノズル部の長さが比較的に長い給油ガンを用いてもフィルタが損傷しない燃料タンクを提供する。【解決手段】  燃料タンク１は、タンク本体３の上部に突設されたフィラーネック１０内に設置されるフィルタ３０と、フィラーネック１０の先端部に着脱可能に装着されて給油口１０ａを塞ぐキャップとを備え、フィルタ３０の上部に環状に設けられたフランジ３２を受け止める受け座１５がフィラーネック１０内に設けられ、フィルタ３０の上部にフランジ３２より小径の筒部３３を突設し、筒部３３に、キャップ５０に一端部が接続されたチェーンの他端部を接続する。さらに、フィラーネック１０は、この軸方向長さＬｆとフィラーネック１０から延出するフィルタ３０の軸方向長さＬｒとを合算した長さが給油ガン６０のノズル部６１の長さＬｇよりも長くなるように形成される。【選択図】  図１
2012131408.tif 000002
【特許請求の範囲】
【請求項１】
燃料を貯留可能なタンク本体と、該タンク本体の上部に突設されて前記タンク本体に連通し燃料を該タンク本体に供給するフィラーネックと、該フィラーネックの先端部に開口する給油口から挿入されて前記フィラーネック内に設置されるフィルタと、前記フィラーネックの先端部に着脱可能に装着されて前記給油口を塞ぐキャップとを備え、前記フィルタの上部に環状に設けられたフランジを受け止める受け座が前記フィラーネック内に設けられた燃料タンクであって、
前記フィルタの上部には、前記フランジよりも小径であって該フランジから上方へ延びる筒部が設けられ、
該筒部に、前記キャップに一端部が接続された紐部材の他端部が接続されていることを特徴とする燃料タンク。
【請求項２】
前記筒部の内面は、該筒部の先端側に進むに従って外側に拡開する傾斜面が形成されていることを特徴とする請求項１に記載の燃料タンク。
【請求項３】
前記フィルタは、上部に前記フランジを形成して有底容器状をなす枠体部と、該枠体部の下部に設けられた濾過部とを備え、
前記傾斜面は、燃料を供給する給油ガンのノズル部を前記濾過部内に案内する方向に延びていることを特徴とする請求項２に記載の燃料タンク。
【請求項４】
前記フィラーネックは、この軸方向長さと該フィラーネックから延出する前記フィルタの軸方向長さとを合算した長さが前記給油ガンのノズル部の長さよりも長くなるように形成されていることを特徴とする請求項３に記載の燃料タンク。
【発明の詳細な説明】
【技術分野】
【０００１】
本発明は、燃料タンクに関し、特に燃料タンクに設けられたフィラーネック内にフィルタが設置される燃料タンクに関するものである。
【背景技術】
【０００２】
従来より、燃料に混入する塵を除くため、燃料タンクのフィラーネック内にフィルタが設けられた燃料タンクがある（特許文献１参照）。この特許文献１に記載の燃料タンクは、燃料を貯留可能なタンク本体と、タンク本体の上部に傾斜して延設された給油筒と、給油筒の給油口から挿入されて給油筒内に設置されるフィルタと、給油筒の先端部に着脱可能に装着されて給油口を塞ぐキャップとを有して構成されている。
【０００３】
フィルタは、給油筒内の軸方向中間部に設置されて、給油口から給油される燃料を濾過する。このフィルタの上部には環状に形成されたフランジが設けられ、給油筒の軸方向中間部の外周に部分的に内側へ凹ませた受け座にフィルタのフランジが受け止め支持されて、フィルタが給油筒内に設置されている。
【０００４】
給油筒の軸方向中間部の一部は外側に突出するように膨出形成されて、フィルタのフランジと膨出形成された給油筒の内周面との間に隙間が形成されている。この隙間によってタンク本体内と給油筒とを連通する通気通路が形成されている。このため、給油筒からの燃料の供給時に、フィルタ内で燃料が満たされてフィルタが塞がれた状態になっても、タンク本体内の空気は通気通路および給油筒を通って外部に排出されるので、タンク本体内への燃料供給をスムースに行うことができる。
【先行技術文献】
【特許文献】
【０００５】
【特許文献１】特開２００２−１９２９６４号公報
【発明の概要】
【発明が解決しようとする課題】
【０００６】
この従来の燃料タンクに設置されるフィルタは、給油筒の給油口から所定距離を有した内部に設置されるので、フィルタの交換がし難いという問題がある。そこで、フィルタのフランジとキャップの裏側との間をチェーン等の紐部材で繋ぐと、紐部材を引っ張るだけで、フィルタを給油筒から容易に引き抜くことができ、フィルタの交換作業を容易化することができる。
【０００７】
しかしながら、紐部材をフランジに設けた孔部に挿通して接続すると、フィルタの給油筒内への設置時に、紐部材がフランジと受け座との接触を邪魔してフランジと受け座との間に隙間が形成される。このため、この隙間を介して給油筒と燃料タンク本体内とが連通した状態になる。従って、給油ガンから供給される燃料が塵等を含んだ粗悪燃料である場合には、タンク本体内に粗悪燃料が供給されるという問題が生じる。
【０００８】
また、燃料タンクへの燃料の供給時に使用される給油ガンには、ノズル部の長さが比較的に長いものがある。このノズル部の長さが長い給油ガンによって燃料を燃料タンクに供給する場合、給油ガンのノズル部の先端部がフィルタに接触してフィルタを損傷させて、タンク本体内に粗悪燃料が供給されるという問題が生じる。
【０００９】
本発明は、このような問題を解決するためになされたものであり、給油ガンから供給される燃料が粗悪燃料であっても、タンク本体内に粗悪燃料が供給される虞がない燃料タンクを供給することを目的とする。
【００１０】
また、ノズル部の長さが長い給油ガンによって燃料タンクに燃料が供給されるときに、フィルタを損傷させる虞がない燃料タンクを供給することを目的とする。
【課題を解決するための手段】
【００１１】
前記目的を達成するため、本発明の燃料タンクは、燃料を貯留可能なタンク本体と、該タンク本体の上部に突設されて前記タンク本体に連通し燃料を該タンク本体に供給するフィラーネックと、該フィラーネックの先端部に開口する給油口から挿入されて前記フィラーネック内に設置されるフィルタと、前記フィラーネックの先端部に着脱可能に装着されて前記給油口を塞ぐキャップとを備え、前記フィルタの上部に環状に設けられたフランジを受け止める受け座が前記フィラーネック内に設けられた燃料タンクであって、
前記フィルタの上部には、前記フランジよりも小径であって該フランジから上方へ延びる筒部が設けられ、
該筒部に、前記キャップに一端部が接続された紐部材（実施の形態におけるチェーン３５）の他端部が接続されているように構成されたものである。
【００１２】
本発明の燃料タンクにおいて、フィルタの上部にフランジよりも小径であってフランジから上方へ延びる筒部を設けることにより、フィルタがフィラーネック内に設置される際に、フランジが受け座に受け止められると、フランジの裏面の全面が受け座に接触する。このため、フランジと受け座との間に隙間が形成されることはなく、給油ガンから供給される燃料が粗悪なものである場合に、粗悪燃料がフィルタを介することなくタンク本体に供給される事態を確実に防止することができる。
【００１３】
本発明に記載の「フランジを受け止める受け座」とは、フランジが受け座に受け止められる際に、隙間なくフランジが接触可能に構成された受け座をいう。具体的には、フランジの下面が平面状に形成されている場合、上面が平面状に形成された受け座をいう。
【００１４】
本発明の筒部にキャップの一端部に接続された紐部材の他端部を接続することにより、フィルタを交換する場合には、キャップをフィラーネックから取り外し、キャップに繋がる紐部材をフィラーネックの給油口側に引っ張って、フィルタをフィラーネックから引き出す。このように紐部材を引っ張るだけで、フィルタをフィラーネックから取り外すことができるので、フィルタの交換作業を容易にすることができる。
【００１５】
本発明の紐部材は、フィルタとキャップを繋ぐことができるものであればよく、具体的には、チェーン、布性の紐、合成樹脂性の紐などである。
【００１６】
本発明の燃料タンクにおいて、筒部の内面は、該筒部の先端側に進むに従って外側に拡開する傾斜面が形成されていてもよい。傾斜面は、筒部の先端側に進むに従って外側に拡開するものであればよいので、筒部の先端側に向かって直線状に延びるものや、湾曲するものでもよい。これによって、フィラーネック内に挿入された給油ガンのノズル部のフィルタ内への移動を容易にすることができる。
【００１７】
本発明の燃料タンクにおいて、フィルタは、上部に前記フランジを形成して有底容器状をなす枠体部と、該枠体部の下部に設けられた濾過部とを備え、傾斜面は、燃料を供給する給油ガンのノズル部を濾過部内に案内する方向に延びてもよい。有底容器状の枠体部の下部に濾過部が形成されるので、濾過部の上下方向長さを比較的に長くすることができるので、濾過部の表面積を大きくすることができ、供給された燃料が濾過部で溢れる事態を防止することができる。
【００１８】
また、傾斜面は、燃料を供給する給油ガンのノズル部を濾過部内に案内する方向に延びていることにより、ノズル部の先端がフィルタの濾過部に接触して濾過部を損傷させる事態を未然に防止することができる。
【００１９】
本発明の燃料タンクにおいて、フィラーネックは、この軸方向長さと該フィラーネックから延出するフィルタの軸方向長さとを合算した長さが給油ガンのノズル部の長さよりも長くなるように形成されてもよい。このようにすると、ノズル部の長さが比較的に長い給油ガンによって燃料が燃料タンクに供給される場合、ノズル部の先端がフィルタの底部に接触することがなくなり、フィルタの損傷を確実に防止することができる。
【発明の効果】
【００２０】
本発明の燃料タンクによれば、燃料を貯留可能なタンク本体の上部に突設されたフィラーネック内に設置されるフィルタと、フィラーネックの先端部に着脱可能に装着されて給油口を塞ぐキャップとを備え、フィルタの上部に環状に設けられたフランジを受け止める受け座がフィラーネック内に設けられた燃料タンクであって、フィルタの上部にフランジよりも小径であってフランジから上方へ延びる筒部を設け、筒部に、キャップに一端部が接続された紐部材の他端部を接続することにより、フィルタのフィラーネック内への設置時に、フランジが受け座に受け止められると、フランジの裏面の全面が受け座に接触する。このため、フランジと受け座との間に隙間が形成されることはなく、給油ガンから供給される燃料が粗悪なものである場合、この粗悪燃料がタンク本体に供給される事態を確実に防止することができる。
【００２１】
また、本発明の燃料タンクによれば、フィラーネックは、この軸方向長さとフィラーネックから延出するフィルタの軸方向長さとを合算した長さが給油ガンのノズル部の長さよりも長くなるように形成されることにより、ノズル部の長さが比較的に長い給油ガンによって燃料が燃料タンクに供給される場合、ノズル部の先端がフィルタの底部に接触する虞がなくなる。このため、フィルタが損傷する虞がない燃料タンクを供給することができる。
【図面の簡単な説明】
【００２２】
【図１】本発明の一実施の形態に係わる燃料タンクの部分説明図である。
【図２】本発明の一実施の形態に係わる燃料タンクの斜視図である。
【図３】本発明の一実施の形態に係わる燃料タンクの側面図を示す。
【図４】本発明の一実施の形態に係わる燃料タンクに設けられるフィラーネックを示し、同図（ａ）はフィラーネックの平面図であり、同図（ｂ）は同図（ａ）のIV−IV矢視に相当する断面図である。
【図５】本発明の一実施の形態に係わる燃料タンクのフィラーネックに装着されるキャップを示し、同図（ａ）はキャップの正面図であり、同図（ｂ）はキャップの側面図である。
【図６】本発明の一実施の形態に係わる燃料タンクのフィラーネック内に設置されるフィルタを示し、同図（ａ）はフィルタの側面図であり、同図（ｂ）は同図（ａ）中のＡ部を拡大して示す説明図である。
【発明を実施するための形態】
【００２３】
以下、本発明を図に示した実施形態を用いて説明する。但し、この実施形態に記載されている構成部品の寸法、材料、形状、その相対配置などは特に特定的な記載がない限り、この発明をそれのみに限定する趣旨ではない。
【００２４】
本実施形態は、トラックや作業機などの車両の車体に取り付けられる燃料タンクに適用される。図１は燃料タンクの部分説明図、図２は燃料タンクの斜視図、図３は燃料タンクの側面図、図４（ａ）はフィラーネックの平面図、図４（ｂ）は図４（ａ）中のIV−IV矢視に相当するフィラーネックの断面図、図５（ａ）はキャップの正面図、図５（ｂ）はキャップの側面図であり、図６（ａ）はフィルタの側面図、図６（ｂ）は同図（ａ）中のＡ部を拡大して示す説明図である。
【００２５】
燃料タンク１は、図２及び図３に示すように、燃料を貯留可能なタンク本体３と、タンク本体３の上部に突設されてタンク本体３内に連通し燃料をタンク本体３に供給するフィラーネック１０と、フィラーネック１０の先端部に開口する給油口１０ａから挿入されてフィラーネック１０内に設置されるフィルタ３０（図６（ａ）参照）と、フィラーネック１０の先端部に着脱可能に装着されて給油口１０ａを塞ぐキャップ５０（図５（ａ）、図５（ｂ）参照）とを備える。
【００２６】
タンク本体３は、板金等の金属材料で形成されて内部が中空な直方体状に形成されている。タンク本体３は、長手方向に対向配置されて矩形状の一対の側板４，５と、これらの側板４．５間に配設されて側板４，５同士を接続するとともに、側板４，５の外縁に沿って設けられた角筒部材６とを有してなる。
【００２７】
角筒部材６の上部を構成する天板６ａの長手方向の中間部であって長手方向に対して直行する方向（以下、「短手方向」と記す。）の一方側の端部には、天板６ａに対して斜め上方に取付角度θ（図面ではθ＝約４５°）を有して延びるフィラーネック１０が設けられている。なお、フィラーネック１０の取付角度θは、燃料タンク１が設けられる車両の車体等との関係で決定される。
【００２８】
フィラーネック１０は、図４（ａ）及び図４（ｂ）に示すように、円筒状に形成され、その上部に開口する開口部にはキャップ５０（図５（ａ）、図５（ｂ）参照）を着脱可能に装着するための口金部材１１が勘合した状態で設けられている。口金部材１１の詳細は後述するが、口金部材１１の中央部には、給油ガン６０（図１参照）のノズル部６１を挿入可能な円形状の給油口１０ａが形成されている。給油口１０ａはノズル部６１の外径よりも大きい径を有している。
【００２９】
この給油口１０ａを塞ぐキャップ５０は、図５（ａ）及び図５（ｂ）に示すように、正面視において八角形状をなして把持可能な厚さを有する握手部５１と、握手部５１の裏面側に突設されて給油口１０ａに嵌合される突出部５２と、突出部５２の先端部に設けられて後述するチェーン３５（図６（ａ）参照）の一端部を接続する接続端子５３を有してなる。
【００３０】
突出部５２は、円柱状をなし、その中心軸線は握手部５１のそれと同軸上に配置されている。突出部５２の握手部側端部の両側には、突出部５２の直径方向に延びる一対の係止突起５２ａが設けられている。この係止突起５２ａは、詳細は後述するが、口金部材１１と係合してキャップ５０をフィラーネック１０に装着可能である。
【００３１】
接続端子５３は、突出部５２の先端部に沿って延びる基部５３ａと、基部５３ａに繋がって屈曲して突出部５２の先端部に対して直角方向に延びる係止部５３ｂとを有する。係止部５３ｂの略中央部にはチェーン３５（図６（ａ）参照）を接続するための孔部５３ｃが設けられている。
【００３２】
このように構成されたキャップ５０と係合する口金部材１１は、図４（ａ）及び図４（ｂ）に示すように、平面視において円環状に形成された周縁部１２を有し、この周縁部１２は断面視においてキャップ状に形成されている。即ち、周縁部１２は下部が開口した逆Ｕ字状に形成されている。この周縁部１２内にフィラーネック１０の先端部を嵌合させるように挿入して、口金部材１１がフィラーネックに装着されている。
【００３３】
周縁部１２は、円形状に形成された外壁１２ａと、この内側に対向配置された内壁１２ｂと、外壁１２ａ及び内壁１２ｂの上部間を繋ぐ上壁１２ｃとを有する。上壁１２ｃの直径方向の対向する部分には、キャップ５０（図５（ａ）参照）に設けられた係止突起５２ａを挿入可能な一対の切欠凹部１２ｄ、１２ｄ’が設けられている。また内壁１２ｂは一方の切欠凹部１２ｄ側から他方の切欠凹部１２ｄ’側に進むに従って漸次内壁１２ｂの下端部の位置がより下方に位置するように延びるとともに、他方の切欠凹部１２ｄ’付近で下方へ突出する段部１２ｅが形成されている。この段部１２ｅに係止突起５２ａが接触することで、キャップ５０の回動を規制することができる。
【００３４】
このため、キャップ５０（図５（ａ）参照）の係止突起５２ａを切欠凹部１２ｄ、１２ｄ’内に挿入した状態で、キャップ５０の係止突起５２ａが一方の切欠凹部１２ｄ側から他方の切欠凹部１２ｄ’側に移動するようにキャップ５０を回動させると、係止突起５２ａは内壁１２ｂの下端部に接触しながら他方の切欠凹部１２ｄ’側に移動する。ここで、係止突起５２ａの移動量が大きくなるほど、内壁１２ｂの下方の位置がより下になるので、係止突起５２ａの移動はしにくくなる。このため、キャップ５０の回動時に、係止突起５２ａがある位置に移動すると、係止突起５２ａの移動が困難となり、キャップ５０は口金部材１１にロックされた状態になる。従って、キャップ５０はフィラーネック１０の先端部にロックされた状態で装着することができるとともに、キャップ５０の突出部５２によって給油口１０ａを塞ぐことができる。
【００３５】
フィラーネック１０内の下部には、図４（ｂ）に示すように、フィルタ３０の上部に環状に設けられたフランジ３２を受け止める受け座１５が環状に設けられている。受け座１５は板金をプレス加工等して形成されて、受け座１５の上面は略平面状に形成されている。受け座１５の内側には円形状の孔部１６が開口している。この孔部１６は口述するフィルタ３０の枠体部３１が挿入可能な大きさを有している。
【００３６】
フィラーネック１０内に設置されるフィルタ３０は、図６（ａ）及び図６（ｂ）に示すように、有底筒状の枠体部３１を有し、枠体部３１の上部にはフランジ３２が環状に設けられ、枠体部３１の下側には濾過部４０が設けられている。枠体部３１は、合成樹脂材料で一体成型される。
【００３７】
フランジ３２の外径φＡは、図４（ｂ）をさらに追加して説明すると、前述した受け座１５の先端側に形成された孔部１６の外径φＢよりも大きく、また給油口１０ａの内径φＣよりも小さい。このため、フランジ３２は給油口１０ａを通過することができ、またフランジ３２は受け座１５の上面に接触して支持される。フランジ３２の下面は平面状に形成され、受け座１５の上面も平面状に形成されているので、フランジ３２が受け座１５に支持されると、フランジ３２と受け座１５は隙間がない状態で密着する。
【００３８】
フランジ３２の上面には、上方へ延びる筒部３３が設けられている。筒部３３の外径φＤはフランジ３２の外径φＡよりも小さく、また枠体部３１の内側に貫通する枠体孔部３１ａの外径φＥよりも大きい。また筒部３３は、先端側に進むに従って外側に拡開するように湾曲している。即ち、筒部３３の内面は、筒部３３の先端側に進むに従って外側に拡開する傾斜面３３ａが形成されている。傾斜面３３ａは、筒部３３の先端側に進むに従って外側に拡開するように湾曲するとともに、給油ガン６０のノズル部６１を濾過部４０内に案内する方向に延びている。このため、フィラーネック１０内に挿入された給油ガン６０（図１参照）のノズル部６１が濾過部４０に接触する事態を防止することができる。
【００３９】
フィルタ３０の枠体部３１の上部に設けられた筒部３３には、筒部３３の内側と外側との間を貫通する貫通孔３３ｂが設けられている。この貫通孔３３ｂにチェーン３５の他端部に設けられた係止リング３５ａが挿通された状態で取り付けられている。なお、チェーン３５の一端部は、図５（ｂ）に示すキャップ５０の裏側に設けられた接続端子５３の孔部５３ｃに係止された状態で取り付けられる。
【００４０】
このように、フィルタ３０のフィラーネック１０内への設置時に、チェーン３５はフランジ３２の上部に設けられた筒部３３に取り付けられているので、チェーン３５の係止リング３５ａがフランジ３２と受け座１５との間に入り込んで隙間が形成されることはない。このため、フランジ３２は受け座１５に確実に密着した状態で設置されるので、給油ガン６０（図１参照）によって供給される燃料が粗悪燃料である場合、この粗悪燃料がフランジ３２と受け座１５との間の隙間からタンク本体３に供給されることはない。
【００４１】
枠体部３１の下側には、枠体部３１の周方向に所定間隔を有して配置されて下方へ延びる複数の支持部４０ａと、これらの支持部４０ａの下端部同士を接続する底板部４０ｂと、隣接する支持部４０ａ間に開口する開口部４０ｃに取り付けられたメッシュ部４０ｄとを有してなる濾過部４０が形成されている。
【００４２】
支持部４０ａは下方に進むに従ってフィルタ３０の内側に傾く。このため、受け座１５の内側に形成された孔部１６への濾過部４０の挿入を容易にしている。濾過部４０の上下方向長さＬは、メッシュ部４０ｄの目の間隔やメッシュ部４０ｄの全体の面積等を考慮して、給油ガン６０からフィルタ３０に供給された燃料が溢れ出すことがない長さに設定されている。
【００４３】
底板部４０ｂは、板状に形成されているが、濾過機能が低下しなければ底板部４０ｂに孔部を設け、この孔部にメッシュ部４０ｄを設けてもよい。
【００４４】
このように構成されたフィルタ３０をフィラーネック１０内に設置した状態で、給油ガン６０によって給油する場合、図１に示すように、給油ガン６０のノズル部６１の長さが比較的に長いもの（例えば、約３００ｍｍ）では、給油口１０ａを介してフィラーネック１０内に挿入されたノズル部６１の先端がフィルタ３０の濾過部４０の下側に接触して濾過部４０が損傷する虞が生じる。従って、供給された燃料が塵等を含む粗悪燃料である場合には、粗悪燃料がタンク本体３内に供給される虞が生じる。
【００４５】
しかし、本願の燃料タンク１では、フィラーネック１０の軸方向長さＬｆとフィルタ３０のフィラーネック１０から延出する長さＬｒとを合算した長さＬｔが給油ガン６０のノズル部Ｌｇの長さよりも長くなるように、フィラーネック１０の軸方向長さＬｆが設定されている。このため、ノズル部６１の長さが比較的に長い給油ガン６０によって粗悪燃料が燃料タンク１に供給される場合、ノズル部６１の先端がフィルタ３０の濾過部４０の下側に接触する虞がないので、フィルタ３０の損傷を確実に防止することができる。その結果、粗悪燃料がタンク本体３に供給される虞のない燃料タンク１を供給することができる。
【００４６】
なお、フィラーネック１０の軸方向長さＬｆは、長ければ長いほどよいことになるが、燃料タンク１が設けられる車両の車体との位置関係や車体に設けられる他の設備等との関係を考慮して、軸方向長さＬｆの上限が設定される。
【符号の説明】
【００４７】
１    燃料タンク
３    タンク本体
１０    フィラーネック
１０ａ  給油口
１５    受け座
３０    フィルタ
３１    枠体部
３２    フランジ
３３    筒部
３３ａ  傾斜面
３５    チェーン（紐部材）
４０    濾過部
５０    キャップ
【図１】
2012131408.tif 000003
【図２】
2012131408.tif 000004
【図３】
2012131408.tif 000005
【図４】
2012131408.tif 000006
【図５】
2012131408.tif 000007
【図６】
2012131408.tif 000008